(57)【特許請求の範囲】
【請求項１】
光透過性の樹脂被膜層またはフォログラム層をベースフィルム上に形成したフィルムを用いてカード体を含む記録媒体の加熱転写面上に加熱転写した後に発生する反りを矯正する反り矯正装置であって、
複数の搬送ローラから形成される搬送路に沿い前記記録媒体を搬送する搬送手段と、
前記搬送路の途中に配設されるとともに、プラテンローラに対する動作位置と待機位置との間でヒートローラを昇降する昇降手段と、
前記フィルムを供給する供給部と、前記フィルムを巻き取る巻取り部とを有し、前記フィルムを前記ヒートローラと前記プラテンローラ間に案内するフィルム供給手段と、
前記プラテンローラの下流側の搬送ローラ間に位置する棒状体を、前記加熱転写後に発生した反りを矯正する矯正位置と待機位置との間で駆動する反り矯正手段と、
前記記録媒体が前記下流側の搬送ローラ間に搬送されたことを検出する検出手段と、
前記下流側の搬送ローラを正逆駆動する駆動手段と、
前記昇降手段と前記検出手段と前記駆動手段に接続され、前記棒状体が前記矯正位置に駆動された状態で、前記下流側の搬送ローラを複数回数分正逆駆動する駆動制御を行なう制御手段と
を具備することを特徴とする反り矯正装置。
【請求項２】
前記反り矯正手段の前記棒状体は、基部に対して回動自在に軸支されるレバー部材の一端において片支持状態で固定されるとともに、
前記レバー部材は、前記昇降手段の昇降基部を昇降するためのカム機構に連動して前記矯正位置と前記待機位置との間で駆動されることを特徴とする請求項１に記載の反り矯正装置。
【請求項３】
光透過性の樹脂被膜層またはフォログラム層をベースフィルム上に形成したフィルムを用いてカード体を含む記録媒体の加熱転写面上に加熱転写した後に発生する反りを矯正する反り矯正方法であって、
搬送手段により、複数の搬送ローラから形成される搬送路に沿い前記記録媒体を搬送する工程と、
前記搬送路の途中に配設されるヒートローラを昇降する昇降手段により、前記ヒートローラをプラテンローラに対する動作位置と待機位置との間で昇降する工程と、
前記フィルムを供給する供給部と、前記フィルムを巻き取る巻取り部とを有したフィルム供給手段により、前記フィルムを前記ヒートローラと前記プラテンローラ間に案内する工程と、
反り矯正手段により、前記プラテンローラの下流側の搬送ローラ間に位置する棒状体を、前記加熱転写後に発生した反りを矯正する矯正位置と待機位置との間で駆動する工程と、
検出手段により、前記記録媒体が前記下流側の搬送ローラ間に搬送されたことを検出する工程と、
駆動手段により、前記下流側の搬送ローラを正逆駆動する工程と、
制御手段により、前記棒状体が前記矯正位置に駆動された状態で、前記下流側の搬送ローラを所定回数分正逆駆動する駆動制御を行なう工程と
を具備することを特徴とする反り矯正方法。
【発明の詳細な説明】
【０００１】
【発明の属する技術分野】
本発明は反り矯正装置及び反り矯正方法に係り、特にラミネート装置に適用可能な技術に関するものである。
【０００２】
【従来の技術】
昇華型プリンター装置によりカード体を含む記録媒体にカラー印刷された記録面は、化学的には不安定な可塑性を有することが知られている。このために、例えば記録面に上にプラスチック消しゴムを置いておくと、含有された可塑剤の影響で印刷色が脱色する。そこで、各色剤層を印刷した後に記録媒体を装置から取出し、記録媒体と同じサイズにプリカットされた保護層をパッチする専用装置なども実用化されている。
【０００３】
あるいは、ベースフィルム上にＹＭＣの各色剤層と透明な保護層を順次形成しておき、色印刷後に同じ装置で保護層の形成を行なうオーバーレイにより保護層を設けることで、上記の脱色防止を図るラミネート装置も実用化されている。
【０００４】
また、特開平０８−２３０２３５号、特開平１０−７１７８９号公報に見られるように情報カードなどの記録媒体の表裏に保護層をオーバーレイするための反転機構を備えた装置が提案されている。
【０００５】
一方、上記のようにオーバーレイにより保護層を形成すると、カード体に反りが発生することが知られている。そこで、特開平１１−１０７３４号公報になる「シート形状装置及びシート形成装置を内蔵もしくは接続可能にしたプリンタ」によれば、コートフィルムを用いてカード体の加熱転写面上に加熱転写した後に発生する反りを矯正するために、搬送路に沿うようにガイド部材またはローラから構成される矯正手段であって、特に、カール（反り）変形した形態とは相反する曲げ方向の形態にすることで反りを解消する技術が開示されている。このように、カード体に発生した反りを矯正するためには、加熱直後の柔らかい状態で矯正することが効果的であることが知られている。
【０００６】
【発明が解決しようとする課題】
しかしながら、上記の特開平１１−１０７３４号公報に開示される技術によれば、搬送ローラを一方向に駆動することから、一回限りの矯正動作となるので、十分な矯正ができない場合がある。
【０００７】
したがって、本発明は上記の問題点に鑑みて成されたものであり、本発明によれば、プラテンローラの下流側の搬送ローラ間に位置する棒状体を、前記加熱転写後に発生した反りを矯正する矯正位置と待機位置との間で駆動するとともに、棒状体を矯正位置にした状態で、加熱直後の柔らかい状態から矯正を開始して、冷却して反りが解消されるまで下流側の搬送ローラを複数回数分正逆駆動することで、十分な矯正を可能とした反り矯正装置及び反り矯正方法の提供を目的としている。
【０００８】
【課題を解決するための手段】
上述の課題を解決し、目的を達成するために、本発明によれば、光透過性の樹脂被膜層またはフォログラム層をベースフィルム上に形成したフィルムを用いてカード体を含む記録媒体の加熱転写面上に加熱転写した後に発生する反りを矯正する反り矯正装置であって、複数の搬送ローラから形成される搬送路に沿い前記記録媒体を搬送する搬送手段と、前記搬送路の途中に配設されるとともに、プラテンローラに対する動作位置と待機位置との間でヒートローラを昇降する昇降手段と、前記フィルムを供給する供給部と、前記フィルムを巻き取る巻取り部とを有し、前記フィルムを前記ヒートローラと前記プラテンローラ間に案内するフィルム供給手段と、前記プラテンローラの下流側の搬送ローラ間に位置する棒状体を、前記加熱転写後に発生した反りを矯正する矯正位置と待機位置との間で駆動する反り矯正手段と、前記記録媒体が前記下流側の搬送ローラ間に搬送されたことを検出する検出手段と、前記下流側の搬送ローラを正逆駆動する駆動手段と、前記昇降手段と前記検出手段と前記駆動手段に接続され、前記棒状体が前記矯正位置に駆動された状態で、前記下流側の搬送ローラを複数回数分正逆駆動する駆動制御を行なう制御手段とを具備することを特徴としている。
【０００９】
また、前記反り矯正手段の前記棒状体は、基部に対して回動自在に軸支されるレバー部材の一端において片支持状態で固定されるとともに、
前記レバー部材は、前記昇降手段の昇降基部を昇降するためのカム機構に連動して前記矯正位置と前記待機位置との間で駆動されることを特徴としている。
【００１０】
そして、光透過性の樹脂被膜層またはフォログラム層をベースフィルム上に形成したフィルムを用いてカード体を含む記録媒体の加熱転写面上に加熱転写した後に発生する反りを矯正する反り矯正方法であって、搬送手段により、複数の搬送ローラから形成される搬送路に沿い前記記録媒体を搬送する工程と、前記搬送路の途中に配設されるヒートローラを昇降する昇降手段により、前記ヒートローラをプラテンローラに対する動作位置と待機位置との間で昇降する工程と、前記フィルムを供給する供給部と、前記フィルムを巻き取る巻取り部とを有したフィルム供給手段により、前記フィルムを前記ヒートローラと前記プラテンローラ間に案内する工程と、反り矯正手段により、前記プラテンローラの下流側の搬送ローラ間に位置する棒状体を、前記加熱転写後に発生した反りを矯正する矯正位置と待機位置との間で駆動する工程と、検出手段により、前記記録媒体が前記下流側の搬送ローラ間に搬送されたことを検出する工程と、駆動手段により、前記下流側の搬送ローラを正逆駆動する工程と、制御手段により、前記棒状体が前記矯正位置に駆動された状態で、前記下流側の搬送ローラを所定回数分正逆駆動する駆動制御を行なう工程とを具備することを特徴としている。
【００１１】
【発明の実施の形態】
以下に、本発明の好適な各実施形態につき、添付図面を参照して説明する。
先ず、図１は、保護層をオーバーレイする機構例を示した動作原理図であって、本図において、搬送ローラ１０とアイドルローラ１１間で形成された搬送路上を記録媒体であるカードＣが矢印Ｄ方向に搬送される。また、棒状のヒータ４の廻りには回転駆動されるヒートローラ３が同じく回転駆動されるプラテンローラ５に対向して設けられており、保護層である光透過性の樹脂被膜層または偽造防止のためのフォログラム層をベースフィルム上に形成したフィルムＦを、各ローラ３、５の間に介在させ所定圧力で加圧した状態で、カードＣ上に搬送速度の同期をとりながら送り出して、樹脂被膜層またはフォログラム層の加熱転写を行なうように構成されている。
【００１２】
このとき、ヒートローラ３とプラテンローラ５の外周面は平滑な円筒面とされ、かつまたカードＣの幅寸法以上の幅寸法を有していることから、ヒートローラ３が矢印方向に移動されて、カードＣとフィルムＦをそのニップ部で挟んだ状態において、プラテンローラ５に設けられたシリコンラバー層の弾性変形に伴う反発力を発生させて、加熱転写を行ない、下流側の搬送ローラ１０、アイドルローラ１１間のニップ部で搬送するが、このときに、カードＣがフィルムＦ側に凹状態となるように反る（１から２ｍｍ）ことがある。
【００１３】
このように、反った状態のカードＣを、そのまま各種のカード装置に使用すると、カード搬送や読取りの不具合を招く虞がある。
【００１４】
また、商品価値を下げるとも言える。
【００１５】
図２は、このようなカードの反りを解消する構成例を示し、特にラミネート装置１の主な内部構成を示した正面図である。
【００１６】
本図において、図面右側の上流側に配設された昇華型プリンタ装置等により印刷された後に、記録媒体であるカードＣが矢印Ｄ１方向から導入される。
【００１７】
このように導入するために、カードＣが図中のハッチングで示した基部２に設けられた搬送ガイド９により案内されて送られた後に、偽造防止のためのフォログラム層または光透過性の樹脂被膜層をカードＣの加熱転写面に対して加熱転写される。なお、記録媒体としては例えば個人社員入りの各種証明書、個人情報カード類、自動車運転免許証などがあり、またこのラミネート装置１に送り込む前工程で行われる印刷は上記の昇華型印刷に限らず、全ての種類の印刷装置による印刷で良いことは言うまでもない。
【００１８】
搬送路は、一端が基部２に固定され他端に軸支を設けた一対のバネ１２により回転自在に支持されたアイドルローラ１１と駆動力が伝達される搬送ローラ１０とで挟まれるように形成されており、所定剛性を有するカードＣを、矢印Ｄ１，Ｄ２方向に順次搬送して、矢印Ｄ３方向から装置外部に排出するように構成されている。
【００１９】
また、この搬送路の略中間部分には、内部の中心近傍に図示のように一対の棒状ヒータ４を内蔵し、その廻りで回転駆動されるヒートローラ３が矢印Ａ方向に昇降駆動されるように設けられる。そして、このヒートローラ３に対向する下方には、外周面において耐熱性に優れるシリコンラバー層を設けたプラテンローラ５が軸受により支持され第１モータＭ１から動力伝達されて回転駆動されるように設けられている。
【００２０】
また、図中破線で図示したフィルムＦは、保護層である光透過性の樹脂被膜層または偽造防止のためのフォログラム層をベースフィルム上に形成したものを、ロール状に巻回したロールフィルムで交換可能になるように準備されており、装置本体の基部２の右上に配設された供給部６に対してセットした後に、破線図示のフィルムＦを図示のようにフィルムガイド軸８に沿うようにセットしてから、熱転写でベースフィルムのみになったものを巻き取る第３モータＭ３の駆動で巻取り部７において巻き取るようにして、フィルムＦをヒートローラ３とプラテンローラ５間において案内するように構成されている。このとき、弛み防止のためにフィルムＦには巻取り方向に適度な張力が発生される。
【００２１】
一方、図中の実線図示のようにプラテンローラ５に対する動作位置と二点鎖線図示のようにプラテンローラ５からヒートローラ４を離間させるように昇降させることで、加熱前後にヒートローラ４を矢印Ａ方向に昇降駆動するために、基部２に設けられた左右の軸体１６により昇降基部１５が上下に案内されて、二点鎖線図示と一点鎖線図示の位置に駆動されるように構成されている。
【００２２】
この昇降基部１５の上端にはスタッド４２により回動自在に軸支されたカムフォロア１８が設けられており、このカムフォロア１８が破線図示の大カム板１９のカム面（破線図示）に当接しながら回転することで、上記の昇降基部１５が昇降するようにするために大カム板１９は基部２において軸支された軸体に固定されており、さらにこの軸体を第２モータＭ２により回動駆動し、第１センサＫ１で回動停止位置を検出するようにして、上記の左右の軸体１６、１６廻りに設けられた圧縮バネ１７の負勢力に抗して、昇降基部１５を上下（矢印Ａ方向）に駆動するように構成されている。
【００２３】
また、上記の大カム板１９と軸芯を共通にした小カム板２０が固定されており、この小カム板２０が大カム板１９とともに回動されると、基部２において支点部材２３を回動中心して回動されるレバー部材２２の凸部２５を押すことで、二点鎖線図示の位置にレバー部材２２を回動させるようにしている。
【００２４】
また、図３は上記のヒートローラ４の様子を示した外観斜視図であり、図示のように昇降基部１５には左右一対の環状軸受２６（図中では手前側のみ図示）が設けられており、この環状軸受２６によりヒートローラ３が矢印方向に回転駆動可能に設けられており、さらにギア３ａにより駆動力を得るようにしている。また、上記の一対の棒状のヒータ４は内部に固定されている。また、ヒートローラ４は図示のように片支持状態で回動できるように保持されており、フィルムＦをスプールにセットしたままで前面から交換作業が行なえるようにしている。
【００２５】
再度、図２において、搬送ローラ１０とプラテンローラ５は、第１モータＭ１によりギアトレイン３０を介して駆動される。また、プラテンローラ５の下流側にはカードＣの後端を検出する第２のセンサＫ２が配設されており、不図示の検出回路を介して制御部１０１へ信号を送るようにしている。また、上記の第１、第２、第３モータはドライバ回路１００を介して制御部１０１から駆動信号を得ることで所定駆動される。
【００２６】
続いて、図４は、図２の外観斜視図である。本図において、既に説明済みの構成部品については同様の符号を附して説明を割愛して未説明部分について述べると、上記のレバー部材２２は図示の形状となるように板金プレス加工することで、上記の支点部材２３を回動軸として回動するとともに、凸部２５が上記の小カム板２０の凸部に対して当接することで、矢印方向にレバー部材２２を回動するが、このために上記の支点部材２３回りにトーションバネ２７が設けられており、凸部２５が上記の小カム板２０の凸部に対して当接する状態を維持するようにしている。
【００２７】
また、図示のように搬送ローラ１０間に位置される反り矯正手段である棒状体２４は、レバー部材２２の一端に形成された曲げ加工部２２ａに穿設された孔部と孔部２２ｂとを貫通するようにして片支持状態で固定されている。
【００２８】
以上の構成において、図２と図５の動作フローチャートと、図６の動作説明の正面図を参照して動作例について述べると、上流側に配置された不図示の昇華型プリンター装置によりカラー印刷された記録面を上にした状態で、カードＣが矢印Ｄ１方向に駆動され、ステップＳ１で第１モータＭ１の駆動によりカードＣが破線図示の位置まで搬送される。これに続き、ステップＳ２で二点鎖線図示の位置に移動していた昇降基部１５が第２モータＭ２への通電により、一点鎖線図示の位置に移動されて、ヒートローラ３がフィルムＦと、カードＣとを介在させプラテンローラ５上に移動される。
【００２９】
以上でラミネート開始の準備が整い、ステップＳ３で第１モータＭ１及び第３モータＭ３の駆動が行われて、フィルムの加熱転写が行なわれる。次に、ステップＳ４に進み、第１モータＭ１及び第２モータＭ２の駆動が行われて、昇降基部１５を上方移動させ、ラミネートで軟らかになったカードＣを下流に搬送することで、図６における（ａ）の位置にする。このときに、上記の第２センサＫ２でカードＣの後端が検出されるまでステップＳ５を実行して、検出したら図６（ａ）の状態であると判断される。
【００３０】
この状態で、レバー部材２２が支点部材２３を中心にして回動されて、棒状体２４が図６（ｂ）に図示されるように上方の反りを矯正する位置に移動される。続いて、ステップＳ６では、パルスモータである第１モータＭ１を所定パルス分逆方向に駆動して、加熱直後の柔らかい状態から矯正を開始してカードＣを逆方向に駆動する。これに続き、ステップＳ７で、第１モータＭ１を所定パルス分正方向に駆動する。ステップＳ８では、ステップＳ６、７が所定回数の例えば３回実行されたことを判断して、加熱直後の柔らかい状態から矯正を開始してカードＣが冷えて矯正される。以上で矯正が終了し、ステップＳ９で正方向に搬送されるが、このとき図６（ｃ）に図示のように、次のカードへのラミネートに同期してレバー部材２２が下方に移動されるが、これはフィルムＦのカードＣへの加熱転写後に、昇降機構の動力源となる第２モータＭ２への通電によりヒートローラ３が図２の実線図示の動作位置に駆動されることによる。
【００３１】
このようにして、搬送されつつ熱転写されるカードＣに図１で示したように反りが発生しても、十分に矯正されることになる。
【００３２】
尚、上記のように加熱直後の柔らかい状態から矯正を開始してカードＣを正逆方向に駆動する回数は、３回に限定されずこれ以上でもまたは以下でも良く適宜設定されることは言うまでもなく、要するに冷えるまでに矯正できるようにすれば良い。
【００３３】
また、上に反る原因としてはフィルムＦとカードＣの組成の熱膨脹率の相違に起因するとも考えられるが、下に反る場合には上記の棒状体を下方に移動するように構成すれば良い。
【００３４】
さらに、レバー部材２２の駆動を独立して設けた反り矯正装置を独立構成し、、ラミネータ装置の下流側に配置することも可能である。
【００３５】
次に、図７は、反り矯正後に下流に搬送されるカードＣ（破線図示）を増速して搬送する増速搬送機構の外観斜視図である。本図において、既に説明済みの構成部品については同様の符号を附して説明を割愛すると、上記のようにして反りの矯正が行われたカードＣは、矢印Ｄ２方向に、複数の搬送ローラである上流搬送ローラ１０Ａと中間搬送ローラ１０Ｂから形成される搬送路に沿い第１の搬送速度で搬送される。
【００３６】
続いて、この第１の搬送速度より大きな第２の搬送速度で増速して下流側に搬送するためにギアトレイン３０により第２の搬送速度でギア４１を介して駆動される下流側の下流搬送ローラ１０Ｃで増速されて矢印Ｄ３方向に搬送され、装置外部に排出されるように構成されている。
【００３７】
図８は、図７のレバー部材２２を省略して示したＸ−Ｘ線矢視図である。本図において、上記のブラテンローラ５の軸体５ａには、ヒートローラ３のギア３ａにも噛合するギア３１が固定されており、このギア３１には基部２のスタッドで軸支されたギア３２が噛合している。さらに搬送ローラ１０Ａの軸体に固定されたギア３３にギア３２が噛合している。また、このギア３３には基部２のスタットで軸支されたギア３４が噛合しており、ギア３５、３６へと噛合し、中間搬送ローラ１０Ｂの軸体廻りで回転自在に設けられた伝達部となるフリーギア３７に噛合している。
【００３８】
以上が上記の第１の搬送速度で駆動するギアトレイン部分である。
【００３９】
このフリーギア３７には、上流搬送ローラ１０Ｃを第１の搬送速度よりも大きな第２の搬送速度で駆動するギアトレイン部分となるギア３８が噛合しており、さらにギア３９、４０を介してギア４１に噛合するように構成されている。
【００４０】
図９は、上記のフリーギア３７を設けた中間搬送ローラ１０Ｂの外観斜視図である。本図において、既に説明済みの構成部品については同様の符号を附して説明を割愛すると、先ず、図４でも示したように搬送ガイド９に溝部を形成しておき、搬送ローラのラバーローラは中央に一個所のみ設けた場合でも支障なく搬送できるようにしている。  また、軸体は基部２において不図示の軸受で回動軸支される一方で、フリーギア３７を回動自在に設けている。また、このフリーギア３７は係止部３７ａが形成されており、軸体に固定されたピン４４がこの係止部３７ａに当接することで、フリーギア３７の駆動により上記の第１搬送速度で中間搬送ローラ１０Ｂを矢印方向に駆動する。
【００４１】
図１０（ａ）、（ｂ）は増速搬送機構の平面図であって、フリーギア３７とともに示した図である。
【００４２】
本図において、既に説明済みの構成部品については同様の符号を附して説明を割愛すると、各搬送ローラはカードＣの全長よりも短い距離Ｌ１＋Ｌ２で配設される。また、共通の駆動モータである第１モータＭ１の駆動にともない上流搬送ローラ１０Ａと中間搬送ローラ１０Ｂとが、上記のギアを介して第１搬送速度で駆動される。すなわち、フリーギア３７が矢印方向に駆動されるとピン４４が係止部３７ａに当接されて、中間搬送ローラ１０Ｂが第１搬送速度で駆動されることから、カードＣは、図１０（ａ）に図示の状態から図１０（ｂ）に図示の位置に搬送される。
【００４３】
次に、図１１（ａ）、（ｂ）は増速搬送機構の平面図であって、フリーギア３７とともに示した図である。図１０（ｂ）に図示の位置からさらに下流側に搬送されると、図１１（ａ）に図示のようにカードＣの先端が第２搬送速度で駆動される下流搬送ローラ１０Ｃに到達する。この結果、搬送力は下流搬送ローラ１０Ｃに受け継がれることになり、中間搬送ローラ１０Ｂのピン４４はフリーギア３７の係止部３７ａから離れるように回動される自由状態になる。
【００４４】
この後に、図１１（ｂ）に図示のようにカードＣは下流搬送ローラ１０Ｃのみの搬送動作に移行して、増速され図中の二重矢印方向に排出される。一方、第１モータＭ１は継続して駆動されるので第１搬送速度で駆動されるフリーギア３７が矢印方向に駆動されるので、ピン４４が係止部３７ａの左側に位置する図１０（ａ）に図示の状態に復帰する。
【００４５】
尚、上記の構成では、フリーギア３７の１回転当り一回、ピン４４が係止部３７ａに当接するようにしたが、図８に図示のように２回以上の自由状態にするために２個所の係止部３７ａ、３７ｂを形成するようにしても良い。さらに、搬送される物品としてはカード以外にも、種々のワークがあることが言うまでもなく、特にローラコンベア装置に上記機構を採用することで、搬送速度を簡単に増加することができる。
【００４６】
以上説明したように、本装置によれば、フィルムＦとカードＣの組成の熱膨脹率の相違に起因すると考えられる反りを、加熱直後の柔らかい状態から矯正を開始してカードＣを所定回数分正逆方向に駆動することで、冷えるまでに矯正できることになる。
【００４７】
この結果、矯正されたカードＣを、各種のカード装置に使用した場合において、カード搬送や読取りの不具合を招く虞がなくなる。また、商品価値を確保することもできる。
【００４８】
【発明の効果】
以上説明したように、本発明によれば、プラテンローラの下流側の搬送ローラ間に位置する棒状体を、前記加熱転写後に発生した反りを矯正する矯正位置と待機位置との間で駆動するとともに、棒状体を矯正位置にした状態で、加熱直後の柔らかい状態から矯正を開始して、冷却して反りが解消されるまで下流側の搬送ローラを複数回数分正逆駆動することで、十分な矯正を可能とした反り矯正装置及び反り矯正方法を提供することができる。
【図面の簡単な説明】
【図１】保護層をオーバーレイする機構例を示した動作原理図である。
【図２】ラミネート装置１の主な内部構成を示した正面図である。
【図３】ヒートローラ３廻りの外観斜視図である。
【図４】図２の外観斜視図である。
【図５】図２のラミネート装置の動作説明のためのフローチャートである。
【図６】（ａ）〜（ｃ）カードＣの反り矯正のための動作説明図である。
【図７】下流側の搬送ローラの様子を示し、反り矯正後に下流に搬送されるカードＣ（破線図示）を増速して搬送する増速搬送機構の外観斜視図である。
【図８】図７のレバー部材２２を省略して示したＸ−Ｘ線矢視図であって、ギアトレイン３０を示した図である。
【図９】フリーギア３７を設けた中間搬送ローラ１０Ｂの外観斜視図である。
【図１０】（ａ）、（ｂ）は初期の増速搬送機構の平面図であって、フリーギア３７とともに示した図である。
【図１１】  （ａ）、（ｂ）は排出までの増速搬送機構の平面図であって、フリーギア３７とともに示した図である。
【符号の説明】
１  ラミネート装置
２  基部
３  ヒートローラ
４  棒状ヒータ
５  プラテンローラ
６  供給部
７  巻取り部
９  搬送ガイド
１０  搬送ローラ
１１  アイドルローラ
１５  昇降基部
１８  カムフォロアー
１９  大カム板
２０  小カム板
２２  レバー部材
２３  支点部材
２４  棒状体
２５  凸部
２６  環状軸受
２７  トーションバネ
３０  ギアトレイン
３７  フリーギア
４２  スタッド
４４  ピン
１０Ａ  上流搬送ローラ
１０Ｂ  中間搬送ローラ
１０Ｃ  下流搬送ローラ
Ｆ  フィルム
Ｃ  カード（記録媒体）
【図１】
0004434414.tif 000002
【図２】
0004434414.tif 000003
【図３】
0004434414.tif 000004
【図４】
0004434414.tif 000005
【図５】
0004434414.tif 000006
【図６】
0004434414.tif 000007
【図７】
0004434414.tif 000008
【図８】
0004434414.tif 000009
【図９】
0004434414.tif 000010
【図１０】
0004434414.tif 000011
【図１１】
0004434414.tif 000012